(57)【要約】【課題】電源スイッチをオフしたときの画像形成装置等の状態が軽負荷の状態にあった場合、平滑コンデンサに十分大きな電荷が溜まっているために、電源スイッチのオフにもかかわらず負荷側に電圧が出力され続けるという問題を、複雑な回路構成を追加することなく簡易な構成で解決することができる電源装置を提供する。【解決手段】電源装置１０３内の異常を検出した際にスイッチング素子２０４のスイッチング動作を停止させ、かつ停止状態を保持させるための第１の信号が入力されるスイッチング制御手段２０５の停止保持用端子Ｐ１に対して、交流入力電圧が所定の電圧以下になったことが検出された場合には第２の信号が入力され、この第２の信号によりスイッチング素子のスイッチング動作が停止し、かつ停止状態が保持される。【選択図】  図３
2013188093.tif 000002
【特許請求の範囲】
【請求項１】
交流入力電圧を直流に整流する整流回路と、
前記整流回路の出力側に接続された平滑コンデンサと、
前記平滑コンデンサの出力をスイッチングし、前記平滑コンデンサの出力を負荷側に供給するためのスイッチング素子と、
前記スイッチング素子のスイッチング動作を制御するスイッチング制御手段と、
電源装置内の異常を検出した際に、前記スイッチング素子のスイッチング動作を停止させ、かつ停止状態を保持させるための第１の信号を生成して前記スイッチング制御手段の停止保持用端子に入力する第１の停止信号入力手段と、
前記交流入力電圧が所定の電圧以下になったことを検出する検出手段と、
前記検出手段により、前記交流入力電圧が所定の電圧以下になったことが検出された場合、前記スイッチング素子のスイッチング動作を停止させ、かつ停止状態を保持させるための第２の信号を生成して、前記スイッチング制御手段の停止保持用端子に入力する第２の停止信号入力手段と、
を備えたことを特徴とする電源装置。
【請求項２】
前記検出手段により、前記交流入力電圧が所定の電圧以下になったことが検出された後に、交流入力電圧が所定の電圧を超えたことが検出された場合、前記スイッチング素子のスイッチング動作の停止を解除するための解除信号を生成して、前記スイッチング制御手段に入力する解除信号入力手段を備えている請求項１に記載の電源装置。
【請求項３】
前記検出手段は、交流入力電圧が所定の電圧以下になったことの検出を、前記整流回路の上流側の電圧を用いて行う請求項１に記載の電源装置。
【請求項４】
前記検出手段は、交流入力電圧が所定の電圧以下になったことの検出、及び所定の電圧を超えたことの検出を、前記整流回路の上流側の電圧を用いて行う請求項２に記載の電源装置。
【発明の詳細な説明】
【技術分野】
【０００１】
この発明は、コピー機、プリンタ、複合機等の画像形成装置やその他各種装置の電源として用いられる電源装置に関する。
【背景技術】
【０００２】
このような電源装置としては、商用１００Ｖの交流入力電圧を直流に整流する整流回路と、整流回路の出力側に接続された平滑コンデンサと、平滑コンデンサの出力をスイッチングするスイッチング素子とこのスイッチング素子のスイッチング動作を制御するスイッチング制御手段を備え、該スイッチング素子により平滑コンデンサの出力を降圧トランスを介して降圧して負荷側に供給する構成のものが一般に用いられている。
【０００３】
また、安全対策のため、電源装置内で電源装置の状態を判断し、その状態の判断結果で電源装置の停止が必要な場合は、電源装置を停止し停止状態を保持するための信号を生成して、スイッチング制御手段に入力する構成が採用されている場合が多い。
【０００４】
ところで、画像形成装置等を停止させたい場合や装置の状態をリセットしたい場合、ユーザーが電源スイッチをオフにすることがある。一般のユーザーは、電源スイッチのオフ即ち交流入力電圧の遮断もしくは低下により、直ちに電源装置が停止し画像形成装置等も停止するという認識を持っている。
【０００５】
しかし、電源スイッチをオフしたときの画像形成装置等の状態が例えば省エネルギーモードのような軽負荷の状態にあった場合、平滑コンデンサに十分大きな電荷が溜まっているため、電源スイッチのオフにもかかわらず負荷側に電圧が出力され続ける結果、省エネルギーモードが長時間保持されてしまう。このため、電源を再度オンしたときに本来であれば通常の起動がなされるべきところが、省エネルギーモードという状態になってしまい、ユーザーの意図しない動作となってしまう、という問題があった。
【０００６】
なお、特許文献１には、ラッチ保護付きの電源装置において、通常時は、電源の制御を行なう端子に接続されている放電抵抗をＧＮＤから切断しておき、過負荷時に前記放電抵抗をＧＮＤに接続することで、消費電力の増大無くラッチ解除時間を短縮することの出来る電源装置が提案されている。
【０００７】
また、特許文献２には、装置異常状態を知らせる外部信号により電源をラッチ停止させる電源装置において、ラッチ状態にて電源スイッチをオフされた場合にラッチを解除することにより、負荷の待機状態において、消費電力の一層の低減化が図れるスイッチング電源装置が開示されている。
【先行技術文献】
【特許文献】
【０００８】
【特許文献１】特開２００６−１６６５６１号公報
【特許文献２】特開平１０−１４２２７号公報
【発明の開示】
【発明が解決しようとする課題】
【０００９】
しかし、上述の特許文献１及び２に記載の技術は、電源スイッチをオフしたときの画像形成装置等の状態が軽負荷の状態にあった場合、平滑コンデンサに十分大きな電荷が溜まっているため、電源スイッチのオフにもかかわらず負荷側に電圧が出力され続けるという問題に対して、十分な解決策を提供しうるものではなく、このような問題を複雑な回路構成を付加することなく解決できる電源装置の提供が望まれている。
【００１０】
この発明は、このような技術的背景に鑑みてなされたものであって、電源スイッチをオフしたときの画像形成装置等の状態が軽負荷の状態にあった場合、平滑コンデンサに十分大きな電荷が溜まっているために、電源スイッチのオフにもかかわらず負荷側に電圧が出力され続けるという問題を、複雑な回路構成を追加することなく簡易な構成で解決することができる電源装置の提供を課題とする。
【課題を解決するための手段】
【００１１】
上記課題は、以下の手段によって解決される。
（１）交流入力電圧を直流に整流する整流回路と、前記整流回路の出力側に接続された平滑コンデンサと、前記平滑コンデンサの出力をスイッチングし、前記平滑コンデンサの出力を負荷側に供給するためのスイッチング素子と、前記スイッチング素子のスイッチング動作を制御するスイッチング制御手段と、電源装置内の異常を検出した際に、前記スイッチング素子のスイッチング動作を停止させ、かつ停止状態を保持させるための第１の信号を生成して前記スイッチング制御手段の停止保持用端子に入力する第１の停止信号入力手段と、前記交流入力電圧が所定の電圧以下になったことを検出する検出手段と、前記検出手段により、前記交流入力電圧が所定の電圧以下になったことが検出された場合、前記スイッチング素子のスイッチング動作を停止させ、かつ停止状態を保持させるための第２の信号を生成して、前記スイッチング制御手段の停止保持用端子に入力する第２の停止信号入力手段と、を備えたことを特徴とする電源装置。
（２）前記検出手段により、前記交流入力電圧が所定の電圧以下になったことが検出された後に、交流入力電圧が所定の電圧を超えたことが検出された場合、前記スイッチング素子のスイッチング動作の停止を解除するための解除信号を生成して、前記スイッチング制御手段に入力する解除信号入力手段を備えている前項１に記載の電源装置。
（３）前記検出手段は、交流入力電圧が所定の電圧以下になったことの検出を、前記整流回路の上流側の電圧を用いて行う前項１に記載の電源装置。
（４）前記検出手段は、交流入力電圧が所定の電圧以下になったことの検出、及び所定の電圧を超えたことの検出を、前記整流回路の上流側の電圧を用いて行う前項２に記載の電源装置。
【発明の効果】
【００１２】
前項（１）に記載の発明によれば、電源装置内の異常を検出した際にスイッチング素子のスイッチング動作を停止させ、かつ停止状態を保持させるための第１の信号が入力されるスイッチング制御手段の停止保持用端子に対して、交流入力電圧が所定の電圧以下になったことが検出された場合には第２の信号が入力され、この第２の信号によりスイッチング素子のスイッチング動作が停止し、かつ停止状態が保持される。つまり、既存のスイッチング制御手段の停止保持用端子を利用し、該停止保持用端子に第２の信号を入力することで、電源スイッチがオフになったときは確実に電源装置を停止させ停止状態を保持することができるから、交流入力電圧が所定の電圧以下になったことを検出して第２の信号を生成するための比較的簡単な回路構成の追加のみで前記課題を解決でき、大幅なコストアップにつながる恐れはない。
【００１３】
前項（２）に記載の発明によれば、交流入力電圧が所定の電圧以下になったことが検出された後に、交流入力電圧が所定の電圧を超えたことが検出された場合、つまり電源スイッチが再度オンされたときは、解除信号をスイッチング制御手段に入力することにより、スイッチング素子のスイッチング動作の停止を確実に解除して、スイッチング動作を再開させることができる。
【００１４】
前項（３）及び（４）に記載の発明によれば、交流入力電圧が所定の電圧以下になったことの検出、所定の電圧を超えたことの検出が、整流回路の上流側の電圧を用いて行われるから、これらの検出を確実に行うことができ、ひいては電源スイッチのオフに伴う電源装置の停止及び停止状態の保持と、その後の電源スイッチのオンに伴う電源装置の動作再開を、より確実に行うことができる。
【図面の簡単な説明】
【００１５】
【図１】交流電源、電源装置、電源スイッチ、負荷の接続状態を示すブロック図である。
【図２】一般的な電源装置の回路図である。
【図３】この発明の一実施形態に係る電源装置の回路図である。
【図４】各要部の電圧または信号の波形を時系列で示すタイミングチャートである。
【図５】交流電圧監視回路の一例を示す回路図である。
【発明を実施するための形態】
【００１６】
以下、この発明の実施形態を図面に基づいて説明する。
【００１７】
図１は、交流電源、電源装置、電源スイッチ、負荷の接続状態を示すブロック図である。
【００１８】
交流電源１０１は電源スイッチ１０２によりオンオフされ、電源装置１０３に入力される。電源装置１０３にて交流電圧は直流の低電圧（例えば２４Ｖ、５Ｖ）に変換され、例えば画像形成装置等の負荷１０４に供給される。電源スイッチ１０２はユーザによってオンオフされ、オフの状態では交流電源１０１が電源装置１０３に供給されないため、負荷１０４への直流電圧供給はなされない。
【００１９】
図２は一般的な電源装置１０３の内部回路の一例を示す。
【００２０】
この電源装置１０３は、交流電源１０１からの交流入力電圧を直流に全波整流する整流回路としてのダイオードブリッジ２０１を備え、ダイオードブリッジ２０１の出力側には、該ダイオードブリッジ２０１による整流電圧を平滑化する一次平滑コンデンサ２０２が接続されている。
【００２１】
また、一次平滑コンデンサ２０２の出力側には、トランス２０３の一次巻線２０３ａとスイッチング素子であるスイッチングＦＥＴ２０４の直列回路が接続されている。
【００２２】
スイッチングＦＥＴ２０４のゲートには、該スイッチングＦＥＴ２０４のオンオフを制御するためのスイッチング制御ＩＣ２０５が接続されている。
【００２３】
前記スイッチング制御ＩＣ２０５には、電源装置１０３の起動後に、スイッチング制御ＩＣ２０５に電源電力を供給するための、降圧トランス２０３の補助巻線２０３ｃ、ダイオード２０６及びコンデンサ２０７からなる電力供給回路が接続されている。なお、電源装置１０３の起動時には、交流電源１０１に接続されたダイオード２１６、２１７、抵抗２１８及びコンデンサ２１９により、スイッチング制御ＩＣ２０５に電力が供給されるものとなされている。
【００２４】
さらに、スイッチング制御ＩＣ２０５には、スイッチング制御ＩＣ２０５にスイッチングＦＥＴ２０４に対するオンオフ信号のデューティ比を調節させるための調節用信号を生成するフォトカプラ２１０の受光側素子２１０ｂが接続されるとともに、電源装置１０３に異常が発生したときに、スイッチング制御ＩＣ２０５からスイッチングＦＥＴ２０４への制御信号を停止してスイッチングＦＥＴ２０４の動作を停止して、ひいては電源装置１０３を緊急停止させるための緊急停止用信号（第１の信号）を生成するフォトカプラ２１４の受光側素子２１４ｂが接続されている。
【００２５】
一方、降圧トランス２０３の二次巻線２０３ｂの出力側には、整流ダイオード２０８と二次平滑コンデンサ２０９が接続され、二次平滑コンデンサ２０９の出力側には、負荷１０４への供給電圧を一定にするためのフォトカプラ２１０の発光側素子２１０ａとシャントレギュレータ２１１の直列回路が接続されている。このシャントレギュレータ２１１は、同じく二次平滑コンデンサ２０９の出力側に接続された２つの分圧抵抗２１２、２１３の分圧電圧をモニタリングしている。
【００２６】
さらに、二次平滑コンデンサ２０９の出力側には、電源装置１０３の異常による出力電圧の増大を検出するためのフォトカプラ２１４の発光側素子２１４ａとツェナーダイオード２１５の直列回路が接続されている。
【００２７】
次に、図２に示した電源装置１０３の動作を説明する。
【００２８】
ダイオードブリッジ２０１の入力部に交流電圧が入力されると、前記ダイオードブリッジ２０１により整流され、一次平滑コンデンサ２０２に全波整流された電圧が入力される。前記一次平滑コンデンサ２０２は負荷１０４が最大時に瞬時停電規格を満足する容量のコンデンサでなくてはならず、大きな静電容量を有している。前記一次平滑コンデンサ２０２により平滑された交流電圧の実効値の直流電圧が生成され、トランス２０３に入力される。トランス２０３の一次巻線２０３ａの他端には、スイッチングＦＥＴ２０４が接続されており、前記スイッチングＦＥＴ２０４はスイッチング制御ＩＣ２０５にてスイッチング動作を制御される。
【００２９】
電源装置１０３の起動時には交流入力電圧をダイオード２１６、２１７を介してスイッチング制御ＩＣ２０５に入力し、スイッチング制御ＩＣを起動する。電源装置１０３の起動後はトランス２０３の補助巻線２０３ｃから出力される降圧された電圧をダイオード２０６にて整流し、コンデンサ２０７にて平滑し、スイッチング制御ＩＣ２０５の電源端子Ｐ２に電源として供給する。
【００３０】
また、スイッチング制御ＩＣ２０５は電源装置１０３内が異常状態となった場合に、スイッチング制御ＩＣ２０５に所定のスイッチング停止信号を入力することでスイッチング動作を停止させることのできる停止保持用端子であるラッチ端子Ｐ１を有しており、前記電源装置１０３の異常状態が正常状態に回復してもスイッチング停止状態を保持し続ける機能を搭載している。
【００３１】
前記スイッチング停止状態を解除するためには、スイッチング制御ＩＣ２０５の電源供給を停止し、スイッチング制御ＩＣ２０５をリセットさせる必要がある。
【００３２】
スイッチング制御ＩＣ２０５から出力されるスイッチング信号にて、前記スイッチングＦＥＴ２０４がスイッチング動作を行うことにより、トランス２０３の一次巻線２０３ａの両端に交流波を発生させる。トランス２０３の二次巻線２０３ｂは前記交流波を降圧し、整流ダイオード２０８と二次平滑コンデンサ２０９により、例えば２４Ｖの直流電圧を生成する。
【００３３】
シャントレギュレータ２１１は前記直流電圧を抵抗２１２と抵抗２１３を介してモニタし、前記直流電圧が所定の電圧となるようにフォトカプラ２１０の発光側素子２１０ａを駆動する。フォトカプラ２１０の受光側素子２１０ｂの電流値に変化に基づいて、スイッチング制御ＩＣ２０５は前記スイッチングＦＥＴ２０４のオンデューティを制御する。
【００３４】
また、電源装置１０３の異常により出力電圧が増大した場合、負荷１０４に所定以上の直流電圧が出力されないように、過電圧時に電源を停止させる回路がある。これはツェナーダイオード２１５で前記直流電圧を監視し、所定電圧以上になるとツェナーダイオード２１５がオンし、フォトカプラ２１４の発光側素子２１４ａを駆動し、フォトカプラ２１４の受光側素子２１４ｂにてスイッチング制御ＩＣのラッチ端子Ｐ１をオンさせることにより、安全に電源装置１０３を停止する。従って、この実施形態では、ツェナーダイオード２１５、フォトカプラ２１４の発光側素子２１４ａ及び受光側素子２１４ｂにより、電源装置１０３内の異常検出時にスイッチングＦＥＴ２０４のスイッチング動作を停止させかつ停止状態を保持させるための第１の信号を生成してスイッチング制御ＩＣ２０５のラッチ端子Ｐ１に入力する第１の停止信号入力手段が構成されている。
【００３５】
図１及び図２の構成において、負荷１０４が電流を多く消費する状態の時、電源スイッチ１０２がオフされた場合、一時平滑コンデンサ２０２に蓄えられた電荷は瞬間的に消費され、スイッチング制御ＩＣ２０５の電源供給も停止するため、スイッチングＦＥＴ２０４はスイッチング動作を停止し、前記直流電圧出力も停止する。しかし、例えば画像形成装置の省エネルギモード等のように、負荷１０４が電流をほとんど消費しない状態の時に電源スイッチ１０２がユーザーによってオフされた場合、一次平滑コンデンサ２０２に蓄えられた電荷はすぐには放電されず残ってしまう場合がある。
【００３６】
一次平滑コンデンサ２０２に電荷が残っている場合、スイッチング制御ＩＣ２０５にも電力が供給され続け、スイッチングＦＥＴ２０４もスイッチング動作を続けることとなり、直流電圧も出力されるため、負荷１０４に電圧が出力され続けることになる。ユーザーが電源スイッチ１０２をオフしたにもかかわらず、電源装置１０３は動作を続け、負荷１０４にも直流電圧が印加され続け、ユーザーが電源スイッチ１０２を再度オンしたときに、ユーザーが意図しない動作となってしまうことになる。
【００３７】
図３は本発明の一実施形態に係る電源装置１０３の回路図を示す。
【００３８】
この電源装置１０３では、図２に示した一般的な電源装置１０３のスイッチング制御ＩＣ２０５の起動用回路部における抵抗２１８とコンデンサ２１９の接続点Ｐ３に、交流電圧監視回路２３０が接続されるとともに、前記交流電圧監視回路２３０の出力Ａを、トランジスタ２３２及び抵抗２３１を介して、前記スイッチング制御ＩＣ２０５のラッチ端子Ｐ１に入力する構成となされている。また、前記交流電圧監視回路２３０の出力Ｂを、トランジスタ２３４及び抵抗２３３を介してスイッチング制御ＩＣ２０５の電源端子Ｐ２に入力する構成となされている。
【００３９】
図３に示した電源装置１０３における上記抵抗２１８、コンデンサ２１９、交流電圧監視回路２３０、トランジスタ２３２、抵抗２３１、トランジスタ２３４及び抵抗２３３以外の回路構成は、図２に示したものと同一であるので、詳細な説明は省略する。
【００４０】
交流電圧監視回路２３０は交流入力電圧が所定電圧以下となったか、あるいは所定電圧を超えたときに、所定時間の単発パルスを出力することが可能な回路とする。つまり、電源スイッチ１０２がオンからオフになり、抵抗２１８とコンデンサ２１９の接続点Ｐ３の電圧、換言すれば交流入力電圧の電圧が所定の電圧以下となったときに、交流電圧監視回路２３０はこれを検出して、出力Ａから所定の時間Ｈｉｇｈ信号（第２の信号）を出力し、電源スイッチ１０２がオフからオンになり、交流入力電圧が所定の電圧を超えたときに、交流電圧監視回路２３０はこれを検出して、出力Ｂから所定の時間Ｈｉｇｈ信号（解除信号）を出力するものである。
【００４１】
このことから理解されるように、この実施形態では交流電圧監視回路２３０が、交流入力電圧が所定の電圧以下になったときに、前記スイッチングＦＥＴ２０４のスイッチング動作を停止させ、かつ停止状態を保持させるための第２の信号を生成して、スイッチング制御ＩＣ２０５のラッチ端子Ｐ１に入力する第２の停止信号入力手段を構成し、さらに交流入力電圧が所定の電圧以下になったことが検出された後に、交流入力電圧が所定の電圧を超えたことが検出されたときに、スイッチングＦＥＴ２０４のスイッチング動作の停止を解除するための解除信号を生成して、スイッチング制御ＩＣ２０５に入力する解除信号入力手段を構成している。
【００４２】
次に、図３の電源装置１０３における特に交流電圧監視回路２３０を中心とした動作を、図４のタイムチャートを用いて説明する。
【００４３】
交流電源入力１０１が常時オフされている状態で、ユーザーにより電源スイッチ１０２がオフからオンに切り替えられた時には、交流電源監視回路２３０の出カＢから第２の信号であるＨｉｇｈ信号が出力され、トランジスタ２３４が所定時間オンされる。トランジスタ２３４がオンされることにより、スイッチング制御ＩＣ２０５の電源入力がリセットされる。その後、出力ＢのＨｉｇｈ信号の消失によりトランジスタ２３４がオフとなり、同時にスイッチング制御ＩＣ２５０が起動され、電源装置１０３が動作を開始し、直流電圧が負荷１０４に供給される。
【００４４】
一方、電源スイッチ１０２がオンからオフに切り替わった時には、交流電源監視回路２３０の出力Ａから第１の信号であるＨｉｇｈ信号が出力され、トランジスタ２３２が所定時間オンする。トランジスタ２３２がオンされることにより、スイッチング制御ＩＣ２０５のラッチ端子Ｐ１がオンされ、スイッチング制御ＩＣ２０５は停止状態となり、その後出力ＡからＨｉｇｈ信号が消失しても、電源装置１０３は動作停止を維持し、直流電圧は負荷１０４に供給されない状態となる。
【００４５】
その後、電源スイッチ１０２がオフからオンに切り替わった時には、交流電源監視回路２３０の出力Ｂから第２の信号であるＨｉｇｈ信号が再度出力され、トランジスタ２３４が所定時間オンされる。トランジスタ２３４がオンされることにより、スイッチング制御ＩＣ２０５の電源入力がリセットされるとともに、スイッチング制御ＩＣ２０５のラッチ端子Ｐ１がオフとなってラッチが解除される。そして、スイッチング制御ＩＣ２５０が起動され、電源装置１０３が動作を再開し、直流電圧が負荷１０４に供給される。
【００４６】
このように、この実施形態では、電源装置１０３内の異常を検出した際にスイッチングＦＥＴ２０４のスイッチング動作を停止させ、かつ停止状態を保持させるためのスイッチング制御ＩＣ２０５の既存のラッチ端子Ｐ１を利用し、交流入力電圧が所定の電圧以下になったことが検出されたときに、このラッチ端子Ｐ１に第２の信号が入力され、この信号によりスイッチング回路のスイッチング動作が停止し、かつ停止状態が保持される。従って、既存のラッチ端子Ｐ１を利用することで、電源スイッチがオフになったときは確実に電源装置１０３を停止させ停止状態を保持することができるから、複雑な回路を追加する必要はなく、簡素な回路構成の追加で済み、大幅なコストアップにつながる恐れはない。
【００４７】
しかも、交流入力電圧が所定の電圧以下になったことが検出された後に、交流入力電圧が所定の電圧を超えたことが検出された場合、つまり電源スイッチが再度オンされたときは、解除信号をスイッチング制御ＩＣ２０５に対して入力することにより、スイッチングＦＥＴ２０４のスイッチング動作の停止を確実に解除して、スイッチング動作を再開させることができる。
【００４８】
また、交流入力電圧が所定の電圧以下になったことの検出、所定の電圧を超えたことの検出が、整流回路２０１の上流側において、ダイオード２１６及び２１７から入力された交流入力電圧を用いて行われるから、これらの検出を確実に行うことができ、ひいては電源スイッチ１０２のオフに伴う電源装置１０３の停止及び停止状態の保持と、その後の電源スイッチ１０２のオンに伴う電源装置１０３の動作再開を、より確実に行うことができる。
【００４９】
図５は、交流電圧監視回路２３０の一例を示す回路図である。
【００５０】
この交流電圧監視回路２３０は、抵抗２１８とコンデンサ２１９の接続点Ｐ３の電圧がそれぞれマイナス端子とプラス端子に入力される２つのコンパレータ３０１及び３０２と、補助巻き線２０３ｃの出力、つまりスイッチング制御ＩＣ２０５の電源電圧を分圧する２つの抵抗３０５及び３０６と、同じくスイッチング制御ＩＣ２０５の電源電圧を分圧し、前記抵抗３０５及び３０６と抵抗値が同じ２つの抵抗３０７，３０８と、コンパレータ３０１及び３０３の出力に接続され、コンパレータ３０１及び３０３の出力信号を受信して一定時間パルスを出力する２つのワンショットタイマ３０３、３０４を備えている。
【００５１】
また、前記抵抗３０５及び３０６の分圧点はコンパレータ３０１のプラス端子に、前記抵抗３０７及び３０８の分圧点はコンパレータ３０２のマイナス端子に、それぞれ接続されている。
【００５２】
図５に示す交流電圧監視回路２３０において、電源スイッチ１０２がオンされ、コンパレータ３０２のプラス端子の電圧が、抵抗３０７及び３０８の分圧点の電圧を超えたときは、コンパレータ３０２がオンとなり、ワンショットタイマ３０４から出力Ｂにワンショットパルス（解除信号）が出力される。
【００５３】
一方、電源スイッチ１０２がオフされ、コンパレータ３０１のマイナス端子の電圧が、抵抗３０５及び３０６の分圧点の電圧以下となったときは、コンパレータ３０１がオンとなり、ワンショットタイマ３０３から出力Ａにワンショットパルス（第２の信号）が出力される。
【符号の説明】
【００５４】
１０１  交流電源
１０２  電源スイッチ
１０３  電源装置
１０４  負荷
２０１  ダイオードブリッジ
２０２  一次平滑コンデンサ
２０３  降圧トランス
２０４  スイッチングＦＥＴ
２０５  スイッチング制御ＩＣ
２３０  交流電圧監視回路
【図１】
2013188093.tif 000003
【図２】
2013188093.tif 000004
【図３】
2013188093.tif 000005
【図４】
2013188093.tif 000006
【図５】
2013188093.tif 000007